(57)【要約】【課題】スピーカを筐体等に取り付けたときに振動によりノイズが発生してしまうことを防止すること共に、スピーカに起因する電気的ノイズの発生を防止する技術を提供する。【解決手段】スピーカユニット１０は、スピーカ本体５０と、バッフル板３０と、固定用金具７０とを備える。筐体９０のスピーカ取付部９４は壁面パネル９２の近傍に形成され、スピーカユニット１０は壁面パネル９２とスピーカ取付部９４の間に配置されて、さらにスピーカユニット１０の固定用金具７０がこのスピーカ取付部９４のビス固定部９５ａ，９５ｂにビス２３ａ，２３ｂによって固定される。このとき、固定用金具７０（Ｕ字状屈曲部）が備える付勢力によって、スピーカユニット１０は筐体９０の壁面パネル９２の内面側に押しつけられる。固定用金具７０（Ｕ字状屈曲部）が備えるバネ性により振動が吸収される。【選択図】図１
2010093593.tif 000002
【特許請求の範囲】
【請求項１】
スピーカ本体と、該スピーカ本体を所定の場所に固定するための固定用金具とを備えたスピーカユニットであって、
前記固定用金具は、前記所定の場所に固定されたときに、前記スピーカ本体を付勢する付勢力を発生させる形状を有し、かつ導電性及びバネ性を有する金属で形成されていることを特徴とするスピーカユニット。
【請求項２】
前記固定用金具は、
前記スピーカ本体の外枠の裏面を押さえるように後方に取り付けられるスピーカ押さえ手段と、
前記スピーカ押さえ手段から延出し、前記スピーカ押さえ手段と略平行になるように屈曲する屈曲部と、
前記屈曲部から延出して、前記所定の場所に固定するための形状を有する固定面と、
を備えることを特徴とする請求項１に記載のスピーカユニット。
【請求項３】
前記固定用金具の前記固定面は、前記スピーカ押さえ手段に対して略垂直な面を有しており、前記所定の場所にネジ固定するためのネジ穴と、前記固定用金具に形成された位置決め手段と嵌合する嵌合穴とを備えていることを特徴とする請求項２に記載のスピーカユニット。
【請求項４】
前記スピーカ本体の前面に取り付けられるバッフル板を備え、
前記バッフル板と、前記スピーカ本体と、前記固定用金具とが同一箇所で固定されていることを特徴とする請求項１から３までのいずれかに記載のスピーカユニット。
【請求項５】
前記バッフル板は、前記固定用金具と位置決めするための位置決め手段を有し、
前記固定用金具は、前記バッフル板の位置決め手段と嵌合する嵌合穴を有していることを特徴とする請求項４に記載のスピーカユニット。
【発明の詳細な説明】
【技術分野】
【０００１】
本発明は、スピーカユニットに係り、例えば、表示装置などの電子機器筐体に取り付けられるスピーカユニットに関する。
【背景技術】
【０００２】
近年のテレビでは、薄型化及び軽量化が著しく進み、それらが製品の差別化のポイントの一つにもなっている。一般にテレビ等において薄型化や軽量化が進むと、スピーカの取り付け部分における振動によりノイズ等が発生しやすくなり、製品の品質確保が難しいという課題がある。
【０００３】
スピーカの取付け部分における振動及びそれに伴うノイズ発生を防止する技術が従来より提案されている。例えば、スピーカのフランジ部とスピーカ保持用の基材との間に発泡性の防振材を介在させてスピーカを固定する技術がある（特許文献１参照）。この技術では、スピーカの振動を筐体やパネル部分へ伝えないようにしている。
【０００４】
また、スピーカの外縁部の一部をリブに嵌め込み、その反対側の外周部を略Ｊ字形状の板バネで押さえることで、スピーカをパネルに取り付ける構造もある（特許文献２参照）。
【特許文献１】特開２００５−２０３８３１号公報
【特許文献２】実開昭５８−１３９７９１号公報
【発明の開示】
【発明が解決しようとする課題】
【０００５】
ところで、特許文献１に開示の技術では、防振材料が用いられているが、コストの観点から必ずしもそのような技術を採用できないこともある。また、スピーカの振動面側を緩衝材を介して強固にパネルに固定することを前提としており、電子機器等のパネルへの取付にそのまま適用できず、別の技術が求められていた。
【０００６】
さらに特許文献２に開示の技術では、板バネで直接押さえている領域では振動の発生は抑制される可能性はあるものの、そもそも振動抑制の十分な効果があるか、また全体として振動発生が抑制されるかは明確でない。
【０００７】
また、上述の構造上の振動を要因とするノイズの他に、電気的ノイズの対策も重要になっている。液晶テレビなどの表示装置では、上述したように薄型化が著しく進んでいる。これによって、各種制御回路や表示ドライバ等の回路が非常に狭いスペースに集積されるようになっており、従来以上にそのような電気的ノイズ原因の一つである不要輻射の発生抑制が大きな課題となっている。上述の特許文献１や特許文献２に開示の技術では、不要輻射については全く考慮されていなかった。
【０００８】
本発明は、このような状況に鑑みなされたものであって、その目的は、スピーカを筐体等にとりつけたときに振動によりノイズが発生してしまうことを防止すると共に、スピーカに起因する電気的ノイズの発生を防止する技術を提供することにある。
【課題を解決するための手段】
【０００９】
本発明に係る装置は、スピーカユニットに関する。このスピーカユニットは、スピーカ本体と、該スピーカ本体を所定の場所に固定するための固定用金具とを備えたスピーカユニットであって、前記固定用金具は、前記所定の場所に固定されたときに、前記スピーカ本体を付勢する付勢力を発生させる形状を有し、かつ導電性及びバネ性を有する金属で形成されている。
また、前記固定用金具は、前記スピーカ本体の外枠の裏面を押さえるように後方に取り付けられるスピーカ押さえ手段と、前記スピーカ押さえ手段から延出し、前記スピーカ押さえ手段と略平行になるように屈曲する屈曲部と、前記屈曲部から延出して、前記所定の場所に固定するための形状を有する固定面と、を備えてもよい。
また、前記固定用金具の前記固定面は、前記スピーカ押さえ手段に対して略垂直な面を有しており、前記所定の場所にネジ固定するためのネジ穴と、前記固定用金具に形成された位置決め手段と嵌合する嵌合穴とを備えてもよい。
前記スピーカ本体の前面に取り付けられるバッフル板を備え、前記バッフル板と、前記スピーカ本体と、前記固定用金具とが同一箇所で固定されてもよい。
また、前記バッフル板は、前記固定用金具と位置決めするための位置決め手段を有し、前記固定用金具は、前記バッフル板の位置決め手段と嵌合する嵌合穴を有してもよい。
【発明の効果】
【００１０】
本発明によれば、スピーカを筐体等に取り付けたときに振動によりノイズが発生してしまうことを防止すると共に、スピーカに起因する電気的ノイズの発生を防止する技術を提供することができる。
【発明を実施するための最良の形態】
【００１１】
次に、本発明を実施するための最良の形態（以下、単に「実施形態」という）を、図面を参照して具体的に説明する。以下の実施形態では、スピーカの音声出力による振動が筐体へ伝わるのを防止する防振構造を備えかつ金属部分（固定用金具）をアースに接続することが可能なスピーカの取り付け構造を実現する。
【００１２】
図１は、本実施形態に係るスピーカユニット１０が筐体９０に取り付けられた状態を示した斜視図である。また、図２は、スピーカユニット１０の分解斜視図である。図１及び図２では構成態様が理解しやすいようにスピーカユニット１０の後側を示している。
【００１３】
図示のように、スピーカユニット１０は、スピーカ本体５０と、スピーカ本体５０の前面側に取り付けられるバッフル板（ボス板）３０と、スピーカ本体５０の後方に取り付けられた固定用金具７０とを備えて構成されている。
【００１４】
また、筐体９０は略箱形であり、底面パネル９３からスピーカユニット１０を筐体９０に固定するためのスピーカ取付部９４が垂直方向に延出して形成されている。
【００１５】
スピーカ取付部９４は壁面パネル９２の近傍に形成されており、スピーカユニット１０は、壁面パネル９２とスピーカ取付部９４の間に配置されて、さらにスピーカユニット１０の固定用金具７０がこのスピーカ取付部９４のビス固定部９５ａ，９５ｂにビス２３ａ，２３ｂによって固定される。このとき、詳細は後述するが固定用金具７０が備える付勢力によって、スピーカユニット１０はその正面側が筐体９０の壁面パネル９２の内面側に押しつけられる。また、固定用金具７０が備えるバネ性により振動が吸収され、振動に起因するノイズが抑制される。また固定用金具７０は、アース線９８及びアースネジ９９を介して接地されている。
【００１６】
図２をもとにスピーカユニット１０について具体的に説明する。上述のように、スピーカユニット１０は、バッフル板３０と、スピーカ本体５０と、固定用金具７０とから構成されている。
【００１７】
バッフル板３０は、例えば樹脂成形品であって一体形成されている。このバッフル板３０は、中心に開口部３７を有する略平面状の外枠（以下、「バッフル板外枠３５」という）を備える。開口部３７は、スピーカ本体５０の形状に対応した大きさになっており、バッフル板外枠３５の開口部３７の縁には、所定の高さのリブがスピーカ受け部３６としてスピーカ本体５０側に向かって、つまり後側に向かって凸状に形成されている。このスピーカ受け部３６の外周は、スピーカ本体５０がバッフル板３０に取り付けられたときに、スピーカ本体５０の外周と概ね一致するように形成されている。
【００１８】
また、バッフル板外枠３５の４つのコーナーにはビス固定部３１ａ〜３１ｄがスピーカ本体５０側に向かって、つまり後方に向かって円柱状に延出して形成されている。さらに、ビス固定部３１ａ〜３１ｄの頂部には、それぞれビス穴３４ａ〜３４ｄが形成されている。スピーカ本体５０とバッフル板３０とが固定されるときに、後述のスピーカ本体５０のビス挿通部５１ａ〜５１ｄがビス固定部３１ａ〜３１ｄの頂部に一致するように配置されて、ビス２１ａ，２１ｂ，２２ａ，２２ｂで固定される。
【００１９】
また、スピーカ受け部３６の上部中央外側及び下部中央外側にはそれぞれスピーカ固定用ガイド３８ａ，３８ｂがスピーカ受け部３６より若干高く形成されている。これらスピーカ固定用ガイド３８ａ，３８ｂは、スピーカ本体５０がバッフル板３０に取り付けられるときのガイドとして機能する。さらに、バッフル板外枠３５の左右のそれぞれの面には、上下方向中央より若干下側に位置した領域に、金具位置決め部３２ａ，３２ｂが形成されている。これら金具位置決め部３２ａ，３２ｂは、スピーカ受け部３６より外側に形成されており、スピーカ本体５０がスピーカ受け部３６に取り付けられるときに、干渉しないように配置されている。そして、金具位置決め部３２ａ，３２ｂの頂部には突起が形成されており、この突起が、後述する固定用金具７０の位置決めビス穴８１ａ，８１ｂに嵌り、固定用金具７０をバッフル板３０、スピーカ本体５０と固定するときの位置決めのガイドとして機能する。
【００２０】
スピーカ本体５０は、振動板及び駆動ユニットからなるスピーカ駆動部５４と、スピーカ駆動部５４を内部開口に取り付ける本体フレーム部５３と、スピーカ端子５２とを備えている。本体フレーム部５３は、金属で形成されており、振動板が取り付けられる外枠（以下、「ＳＰ外枠５３ａ」という）とスピーカ駆動部５４を支持するために支持枠５３ｂとを備えて形成されている。上述のように、本体フレーム部５３（ＳＰ外枠５３ａ）の外形は、バッフル板３０のスピーカ受け部３６の外形と略同一の大きさである。そして、本体フレーム部５３の四隅にはビス挿通部５１ａ〜５１ｄが形成されている。このビス挿通部５１ａ〜５１ｄは、本体フレーム部５３がバッフル板３０のスピーカ受け部３６に当接したときに、ちょうどバッフル板３０のビス固定部３１ａ〜３１ｄの頂部に当接する形状及び寸法となっている。そのために、ビス挿通部５１ａ〜５１ｄは、ＳＰ外枠５３ａの外周の位置から一旦後方（固定用金具７０側に）延び、さらに、バッフル板３０のビス固定部３１ａ〜３１ｄの頂部に対応する位置で、外側に屈曲している。屈曲してＳＰ外枠５３ａと平行に形成されている面にはそれぞれビス穴５５ａ〜５５ｄが形成されている。
【００２１】
固定用金具７０は、導電性でバネ性を有する金属板、例えば、ステンレス板や銅合金板によって形成されている。図示のように、固定用金具７０は中央部分が開口７９となっており、下側部分は、下側部分はバッフル板外枠３５やスピーカ本体５０の本体フレーム部５３と平行になってスピーカ押さえ部７１を構成している。また、固定用金具７０は、上下方向の略中央部分で、つまり、スピーカ押さえ部７１から上方に延出している部分で、後方に略Ｕ字状に折れ曲がりＵ字状屈曲部７３ａ，７３ｂを形成している。また、Ｕ字状屈曲部７３ａ，７３ｂの延出先の部分は、スピーカ押さえ部７１との境界と同じ高さとなる位置で水平になるように折れ曲がっている。折れ曲がって水平になっている面は金具固定部７４となっている。さらに、金具固定部７４の後側部分が上方向に折れ曲がって付勢操作部７５を構成している。また、スピーカ押さえ部７１の外側部分は、所定長だけ前方に折れ曲がり外周スカート部７２を形成している。
【００２２】
スピーカ押さえ部７１の下側のコーナーには、ビス２２ａ，２２ｂを挿通するための下部ビス穴８２ａ，８２ｂが形成されている。バッフル板３０、スピーカ本体５０及び固定用金具７０を一体にするためにそれらを重ね合わせたときに、バッフル板３０の右下のビス固定部３１ｃのビス穴３４ｃと、スピーカ本体５０の右下のビス挿通部５１ｃのビス穴５５ｃと、固定用金具７０の右側の下部ビス穴８２ｂが一致し、ビス２２ａ，２２ｂがそれらビス穴（３１ｃ，５５ｃ，８２ｂ）を挿通する。同様に、バッフル板３０の左下のビス固定部３１ｄのビス穴と、スピーカ本体５０の左下のビス挿通部５１ｄのビス穴５５ｄと、固定用金具７０の左側の下部ビス穴８２ａが一致し、ビス２２がそれらのビス穴（３４ｄ，５５ｄ，８２ａ）を挿通する。
【００２３】
また、スピーカ押さえ部７１の左右の枠部分には、それぞれ位置決めビス穴８１ａ，８１ｂが形成されている。バッフル板３０、スピーカ本体５０及び固定用金具７０を一体にするためにそれらを重ね合わせたときに、バッフル板３０の金具位置決め部３２ａ，３２ｂの突起が位置決めビス穴８１ａ，８２ｂに嵌るようになっている。
【００２４】
また、水平面を構成している金具固定部７４の左右後側のコーナーのそれぞれには、上部位置決め穴８４ａ，８４ｂが形成されている。さらに、金具固定部７４には、上部位置決め穴８４ａ，８４ｂとＵ字状屈曲部７３ａ，７３ｂの間には上部ビス穴８３ａ，８３ｂが形成されている。そして、スピーカユニット１０を筐体９０に取り付けるときに、スピーカ取付部９４の位置決め突起９６ａ，９６ｂが上部位置決め穴８４ａ，８４ｂに嵌るようになっている。また、図１に示すように、位置決め突起９６が上部位置決め穴８４ａ，８４ｂが嵌ったときに、スピーカ取付部９４のビス固定部９５ａ，９５ｂの頂部に設けられたビス穴と、固定用金具７０の金具固定部７４の上部ビス穴８３ａ，８３ｂが一致し、ビス２３ａ，２３ｂで固定用金具７０とスピーカ取付部９４が固定される。なお、金具固定部７４は、水平となるように形成されているがこれに限る趣旨ではない。ただし、スピーカユニット１０の筐体９０への取付作業の効率化の観点では、その取付作業時に筐体９０においた開口となっている上側からビス２３ａ，２３ｂを固定しやすいように、金具固定部７４が水平となっているのが好ましい。
【００２５】
Ｕ字状屈曲部７３ａ，７３ｂは、固定用金具７０がスピーカ取付部９４に固定されたときに、スピーカユニット１０の前面であるバッフル板３０が壁面パネル９２に押しつけられるようにするために、言い換えると、前方への付勢力が発生するような形状及び寸法となっている。つまり、スピーカユニット１０のバッフル板３０の前面側を壁面パネル９２に当接させた状態では、金具固定部７４の上部ビス穴８３ａ，８３ｂや上部位置決め穴８４ａ，８４ｂは、若干後側にずれるようになっている。
【００２６】
そして、スピーカユニット１０を筐体９０に組み付ける作業者は、金具固定部７４の上部ビス穴８３ａ，８３ｂや上部位置決め穴８４ａ，８４ｂを適切な位置になるように付勢操作部７５を前方に押して位置あわせを行い、まず、上部位置決め穴８４ａ，８４ｂを位置決め突起９６ａ，９６ｂに嵌める。その後、ビス固定部９５と上部ビス穴８３ａ，８３ｂが一致するので、ビス２３ａ，２３ｂを上から締め付けている。これによって、スピーカユニット１０が筐体９０のスピーカ取付部９４に固定される。このとき、屈曲部７３ａ，７３ｂによる付勢力により、スピーカユニット１０は壁面パネル９２に押しつけられていることと、また、Ｕ字状屈曲部７３ａ，７３ｂがバネ性を有する金属で形成されていること、さらにＵ字状屈曲部７３ａ，７３ｂの屈曲した形状によるバネ性で振動を吸収することによって、壁面パネル９２にはスピーカユニット１０の振動により共振して発生するいわゆるビビリ音を防止することができる。
【００２７】
また、ビス２３ａ，２３ｂにより金具固定部７４を締め付けるときに、アース線９８の一端を一緒に締め付け、さらにアース線９８の他方の端部を、筐体９０の底面パネル９３に設けられたアースネジ９９に締め付ける。アースネジ９９は、容量の大きい導電性の金属パネルやヒートシンクなどの金属部品に電気的に接続されている。仮にスピーカ本体５０から直接アースを取る構成とすると、一般には本体フレーム部５３に接続端子等を設けることが想定される。しかし、加工にコストがかかってしまったり、スピーカユニット１０の各種形状が干渉して、アース線９８の取付作業が難しかったりする。しかし、本実施形態では、固定用金具７０を介してスピーカ本体５０に生じる静電気を除去する構成としたため、アースを取る位置の自由度が上がる。つまり、固定用金具７０がスピーカユニット１０の後方に大きく露出しているので、アースを取る位置、つまりアース線９８を取り付ける位置を、ビス２３ａの固定位置に限らず、例えば、付勢操作部７５に設けたりすることもでき、作業性の観点でも効果が得られる。このように、スピーカユニット１０に生じる静電気を適正に逃がすことができるので、スピーカユニット１０に生じる不要輻射を抑制することができ、スピーカユニット１０が設置される装置に対してノイズを生じさせることが防止される。
【００２８】
以上、本発明を実施形態をもとに説明した。この実施形態は例示であり、それらの各構成要素の組合せにいろいろな変形例が可能なこと、またそうした変形例も本発明の範囲にあることは当業者に理解されるところである。例えば、本実施形態では、特に限定していないが、スピーカユニット１０はスピーカ取付部９４への固定だけでなく、バッフル板３０と壁面パネル９２がネジ止めされてもよい。また、バッフル板３０と壁面パネル９２の間に緩衝材（制震材や防振材）が設けられてもよい。また、スピーカ取付部９４にアース線９８と同様の機能を発揮できるような構成としてもよい。また、バッフル板３０を省き、スピーカ本体５０の前面側が壁面パネル９２に当接するように構成されてもよい。さらにまた、スピーカユニット１０を壁面パネル９２に押させ付ける付勢力を生じさせるとともに振動を吸収する形状としてＵ字状屈曲部７３ａ，７３ｂに限る趣旨ではなく、例えば逆Ｖ字形状の屈曲部であってもよいし、蛇腹状に屈曲部が複数で形成されてもよい。
【図面の簡単な説明】
【００２９】
【図１】実施形態に係る、スピーカユニットが筐体に取り付けられた状態を示した斜視図である。
【図２】実施形態に係る、スピーカユニットの分解斜視図である。
【符号の説明】
【００３０】
１０  スピーカユニット
３０  バッフル板
３１ａ〜３１ｄ  ビス固定部
３２ａ、３２ｂ  金具位置決め部
３４ａ〜３４ｄ  ビス穴
３５  バッフル板外枠
３６  スピーカ受け部
３７  開口部
３８ａ、３８ｂ  スピーカ固定用ガイド
５０  スピーカ本体
５１ａ〜５１ｄ  ビス挿通部
５２  スピーカ端子
５３  本体フレーム部
５３ａ  ＳＰ外枠
５４  スピーカ駆動部
５５ａ〜５５ｄ  ビス穴
７０  固定用金具
７１  スピーカ押さえ部
７２  外周スカート部
７３ａ，７３ｂ  Ｕ字状屈曲部
７４  金具固定部
７５  付勢操作部
８１ａ，８１ｂ  位置決めビス穴
８２ａ，８２ｂ  下部ビス穴
８３ａ，８３ｂ  上部ビス穴
８４ａ，８４ｂ  上部位置決め穴
９０  筐体
９２  壁面パネル
９３  底面パネル
９４  スピーカ取付部
９５ａ，９５ｂ  ビス固定部
９６ａ，９６ｂ  位置決め突起
９８  アース線
９９  アースネジ
【図１】
2010093593.tif 000003
【図２】
2010093593.tif 000004